(57)【要約】 【課題】  落石の衝撃を十分に吸収しうる落石防護ネットを提供する。【解決手段】  この落石防護ネット２は、間隔を置いて立設された支柱１間に張設されてなる。落石防護ネット２は、経編物４と経編物４の上下左右辺に取り付けられた綱５とで構成されている。経編物４は一般的にラッセル編物である。ラッセル編物は、２本一組の鎖編糸と各鎖編糸内に挿入された２本の挿入糸とで編成されている。所定のコースにおける結節部は、各鎖編糸に挿入されている挿入糸が他の組の鎖編糸に挿入されることにより形成されている。綱５は、Ｓ撚りのストランド２本一組とし、Ｚ撚りのストランド２本一組として、各々二組づづ合計四組用いて編組する。編組の際に、Ｓ撚りのストランドはＳ巻きにし、Ｚ撚りのストランドはＺ巻きにしたものである。【選択図】  図５
2015229863.tif 000002
【特許請求の範囲】
【請求項１】
間隔を置いて立設された支柱間に張設される落石防護ネットにおいて、
前記落石防護ネットは、経編物と該経編物の上下左右辺に取り付けられた綱とで構成されており、
前記綱は、Ｓ撚りのストランド２本一組とし、Ｚ撚りのストランド２本一組として、各々複数組を交差させて編組し、該編組の際に、Ｓ撚りのストランドはＳ巻きにし、Ｚ撚りのストランドはＺ巻きにして編組したものであることを特徴とする落石防護柵に用いる落石防護ネット。
【請求項２】
各々複数組が、各々２組である請求項１記載の落石防護柵に用いる落石防護ネット。
【請求項３】
経編物が、ラッセル編物である請求項１記載の落石防護柵に用いる落石防護ネット。
【請求項４】
ラッセル編物は、２本一組の鎖編糸と各鎖編糸内に挿入された２本の挿入糸とで編成されてなり、所定のコースにおいて、各挿入糸は、隣り合う組の鎖編糸に挿入されることによって結節部が構成されているものである請求項１記載の落石防護柵に用いる落石防護ネット。
【請求項５】
経編物と該経編物の上下左右辺に取り付けられた綱とで構成された落石防護ネットにおいて、
前記綱は、Ｓ撚りのストランド２本一組とし、Ｚ撚りのストランド２本一組として、各々複数組を交差させて編組し、該編組の際に、Ｓ撚りのストランドはＳ巻きにし、Ｚ撚りのストランドはＺ巻きにして編組したものであることを特徴とする落石防護柵に用いる落石防護ネット。
【発明の詳細な説明】
【技術分野】
【０００１】
本発明は、斜面の下部に設置される落石防護柵に用いる落石防護ネットに関するものである。
【背景技術】
【０００２】
従来より、山裾等にある車道や家屋への落石を防止するために、斜面の下部に落石防護柵が設置されている。落石防護柵は、基本的には、間隔を置いて立設された支柱と、この支柱間に張設された金網と、金網の端末を補強するため或いは支柱に固定するために、当該金網の左右辺及び／又は上下辺に取り付けられた金属製ワイヤーロープとで構成されている。しかるに、この金網やワイヤーロープは、柔軟性に欠けるため、落石が衝突した際に、その衝撃を吸収する能力が低く、支柱が倒れたり、或いは金網又はワイヤーロープが破損するということがあった。
【０００３】
このため、金網に代えて、柔軟性に富むダブルラッセル編地等の経編物を採用することが提案されている（特許文献１）。この経編物の端末にも補強や支柱に固定する目的で、ロープが取り付けられる。しかしながら、金属製ワイヤーロープは柔軟性に欠けるため、経編物の柔軟性が消失してしまうということがあった。このため、金属製ワイヤーロープに代えて、合成繊維製ロープを用いることが考えられる。合成繊維製ロープのうち、落石を防止しうる程度の高強度のものとしては、多数本の糸からなるストランドを編組してなる綱を採用することが考えられる。かかる綱は、登山用ザイルや船舶係留用ロープ等の高強度が必要とされる用途に汎用されている。しかしながら、かかる綱は、高強度ではあるが、伸縮性に乏しいという欠点があった。綱の伸縮性が乏しいと、落石によって経編物が柔軟に変形しても、その上下左右辺に取り付けられた綱が、この変形に追随できず、結局、落石の衝撃を十分に吸収できないということになる。したがって、落石防護ネットの左右辺又は上下辺に取り付ける綱としては、不適当であった。
【０００４】
【特許文献１】特許第４９０９８４１号公報
【発明の概要】
【発明が解決しようとする課題】
【０００５】
本発明の課題は、綱の構成を工夫し綱に伸縮性を与えて、経編物及び伸縮性綱によって、落石の衝撃を十分に吸収しうる落石防護ネットを提供することにある。
【課題を解決するための手段】
【０００６】
上記課題を解決するため、本発明は、綱の編組の方法に工夫を施して、綱に伸縮性を与えたものである。すなわち、本発明は、間隔を置いて立設された支柱間に張設される落石防護ネットにおいて、前記落石防護ネットは、経編物と該経編物の上下左右辺に取り付けられた綱とで構成されており、前記綱は、Ｓ撚りのストランド２本一組とし、Ｚ撚りのストランド２本一組として、各々複数組を用いて編組し、該編組の際に、Ｓ撚りのストランドはＳ巻きにし、Ｚ撚りのストランドはＺ巻きにして編組したものであることを特徴とする落石防護柵に用いる落石防護ネットに関するものである。
【０００７】
本発明に係る落石防護ネットは、落石防護柵に用いるものである。落石防護柵というのは、山裾等にある車道や家屋への落石を防止するために、斜面の下部に設置されるものである。具体的には、図１に示したように、山の斜面の裾に、車道等に沿って、支柱１，１，・・・が立設され、各支柱１，１間に落石防護ネット２が張設されてなるものである。なお、支柱１が落石の衝撃により車道側等に傾倒しないように、山側からワイヤー３で支持するのが一般的である。ワイヤー３としては、従来公知の金属製ワイヤーロープや合成繊維製ロープが用いられるが、本発明で用いる綱５を採用してもよい。
【０００８】
落石防護ネット２は、経編物４と、この経編物４の上下左右辺に取り付けられた綱５とで構成されている（図２）。綱５の取付方は任意であるが、綱５の伸縮性を阻害しないように、経編物４の目合に綱５を挿入して取り付けるのがよい。
【０００９】
経編物４としては、一般的にラッセル編物が用いられる。ラッセル編物の編組織は、従来公知のものが採用される。特に、本発明においては、２本一組の鎖編糸と各鎖編糸内に挿入された２本の挿入糸とで編成されてなり、所定のコースにおいて、各挿入糸は、隣り合う組の鎖編糸に挿入されることによって結節部が構成されているラッセル編物を用いるのが好ましい。かかるラッセル編組織の一部は、図３に示したようなものである。すなわち、鎖編糸６ａと６ｂの２本で一組となり、鎖編糸６ｃと６ｄの２本で一組となっている。そして、鎖編糸６ａには挿入糸７ａ1 と７ａ2 の２本が挿入され、鎖編糸６ｂには挿入糸７ｂ1 と７ｂ2 の２本が挿入され、鎖編糸６ｃには挿入糸７ｃ1 と７ｃ2 の２本が挿入され、鎖編糸６ｄには挿入糸７ｄ1 と７ｄ2 の２本が挿入されている。鎖編糸６ａ、６ｂ、６ｃ及び６ｄに挿入されている各挿入糸は、間隔を置いた所定のコースにおいて、左右に飛んで隣り合う他の組の鎖編糸に挿入され、結節部が構成されている。すなわち、所定のコースにおいて、挿入糸７ａ1 及び７ａ2 は右方向に飛んで鎖編糸６ｃに挿入された後、元に戻って鎖編糸６ａに挿入され、挿入糸７ｂ1 と７ｂ2 も右方向に飛んで鎖編糸６ｄに挿入された後、元に戻って鎖編糸６ｂに挿入される。一方、挿入糸７ｃ1 と７ｃ2 は左方向に飛んで鎖編糸６ａに挿入された後、元に戻って鎖編糸６ｃに挿入され、挿入糸７ｄ1 と７ｄ2 も左方向に飛んで鎖編糸６ｂに挿入された後、元に戻って鎖編糸６ｄに挿入される。以上のようにして、ラッセル編物の経方向及び緯方向に多数の結節部が形成されるのである。鎖編糸の軸方向における結節部間の距離は５０〜１００ｍｍ程度となっており、目合が５０〜１００ｍｍ程度のラッセル編物となっている。目合が大きすぎると、落石が目合を通過しやすくなる。また、目合が小さすぎると、綱５を目合に挿入しにくくなる。
【００１０】
経編物４を構成する糸としては、従来公知のものが用いられる。特に、高強度のマルチフィラメント糸が用いられ、具体的には１０００〜４０００デシテックス／１００〜４００フィラメント程度のマルチフィラメント糸を十数本合糸したものを用いるのが好ましい。また、マルチフィラメント糸の素材としては、耐候性に優れたポリエステルが好ましく、特に黒色に原着されたポリエステルが好ましい。
【００１１】
綱５は、伸縮性を持った特定のものが採用される。一般的に、綱は数本以上の糸を撚って作成したストランドを数本以上用いて、さらに撚り合わせたものであり、種々のタイプがある。たとえば、単に複数本のストランドを撚り合わせた撚りロープ、複数本のストランドを異なる方向に交差するようにして撚り合わせたクロスロープ（図４）、複数本のストランドを筒状に編成した編みロープ等が知られている。本発明で用いる綱５は、クロスロープの一種であるが、従来のクロスロープとは異なる構成となっているものである。
【００１２】
一般的なクロスロープは、図４に示したとおり、２本のストランドが一組となっており、各組のストランドをＳ巻き及びＺ巻きとして交差させて編組したものである。具体的に説明すると、以下のとおりである。すなわち、ストランド８ａと８ｂが一組となり、ストランド８ｃと８ｄが一組となり、ストランド８ｅと８ｆが一組となり、ストランド８ｇと８ｈが一組となっている。すなわち、四組のストランドが用いられている。そして、ストランド８ａと８ｂ及びストランド８ｃと８ｄがＳ巻きとなり、ストランド８ｅと８ｆ及びストランド８ｇと８ｈがＺ巻きとなるように、交差して編組されたものである。なお、Ｓ巻きというのは、ロープを側面から見たとき、その撚りの方向が左上から右下となっているものをいい、Ｚ巻きというのは、ロープを側面から見たとき、その撚りの方向が右上から左下となっているものをいう。
【００１３】
ところで、各ストランド８ａ，８ｂ・・・も、数十本〜数百本の糸を撚って作成したものであるから、撚り方向としては、Ｓ撚りとＺ撚りがある。一般的なクロスロープは、Ｓ撚りのストランドはＺ巻きにし、Ｚ撚りのストランドはＳ巻きにする。図４に基づいて具体的に説明すると、Ｓ巻きとなっているストランド８ａ、８ｂ、８ｃ及び８ｄは、Ｚ撚りのストランドが採用され、Ｚ巻きとなっているストランド８ｅ、８ｆ、８ｇ及び８ｈは、Ｓ撚りのストランドが採用される。この理由は、Ｚ撚りのストランドはＳ方向に戻ろうとするトルクを内在しており、これをＳ巻きにすると、このトルクが低減し、クロスロープに内在するトルクが少なくなって、各ストランドが密着しクロスロープが安定するからである。すなわち、ストランドを用いてクロスロープを作成するには、ストランドの撚り方向とは逆方向に撚ってクロスロープを得るのが技術常識なのである。
【００１４】
しかるに、本発明においては、この技術常識に反して、Ｓ巻きとなっているストランド８ａ、８ｂ、８ｃ及び８ｄに、Ｓ撚りのストランドを採用し、Ｚ巻きとなっているストランド８ｅ、８ｆ、８ｇ及び８ｈに、Ｚ撚りのストランドを採用したものである（図５）。これによって、Ｓ撚りのストランドに内在しているトルクは、Ｓ巻きによってさらに増大し、綱５としたときＺ方向（図５の符号１０で示す方向）にトルクが働く。一方、Ｚ撚りのストランドに内在しているトルクは、Ｚ巻きによってさらに増大し、綱５としたときＳ方向（図５の符号１１で示す方向）にトルクが働く。この結果、Ｓ撚りの一組のストランドとＺ撚りの一組のストランドの間に若干の隙間が生じると共に、綱５が収縮した状態となる。収縮した状態となっているから、この綱５に引張力が働けば綱５は伸長し、引張力を解除すれば綱５は元の収縮した状態に戻る。
【００１５】
本発明は、綱５が上記した伸縮力を有しているので、落石を落石防護ネットが受けとめたとき、経編物４の変形に対応して、綱５も伸長するのである。具体的には、図６に示したとおり、落石を落石防護ネットが受けとめたとき、経編物４は車道や家屋等の方向にお椀状に変形し、経編物４の上下左右辺に取り付けられている綱５は、各々、車道や家屋等の方向に弓状に伸長変形するのである。すなわち、本発明に係る落石防護ネットは、経編物４の変形性と綱５の伸長性の両者によって、落石を受けとめるため、落石の衝撃を十分に吸収することができる。
【００１６】
綱５は、糸からストランドを得、このストランドを編組して得られるものである。ここで、糸としては、１０００〜２０００デシテックス／１００〜２００フィラメント程度のマルチフィラメント糸を用いるのが好ましい。かかる糸を数本合撚して下撚糸を得、ついで下撚糸を数本合撚して上撚糸を得、最後に上撚糸を数十本合撚してストランドが得られる。上撚糸を合撚する際に、Ｓ撚り及びＺ撚りで行って、Ｓ撚り及びＺ撚りのストランドとする。したがって、ストランドは、数十万デシテックス／数万フィラメントの繊維量となっている。このストランドの２本を一組とし、複数組を用いて綱５が編組される。一般的には、図４及び図５に示したとおり、四組のストランドが用いられる。ストランドを２本一組とするのは、綱の強度、伸縮性及び直線性が最も発現しやすいからである。ストランド１本を用いて編組すると、綱が低強度となり、しかも伸縮性の発現も少ない。ストランドを３本以上を一組とすると、内在トルクが高くなりすぎて、綱自体がトルクによって捩れやすくなる。また、ストランドの組数は任意であるが、一般的には四組が用いられる。一般的な編組機械は、給ストラング口が四組となっている。
【００１７】
本発明に係る落石防護ネットは、山裾等に立設された支柱間に張設され、斜面からの落石を防護ネットで受けとめて、山裾等に在る車道や家屋等への直接の落石を防止するものである。また、本発明に係る落石防護ネットは、支柱間のみではなく、既存の立木や施設間に張設して用いることもできる。
【発明の効果】
【００１８】
本発明に係る落石防護ネットは、経編物と経編物の上下左右辺に取り付けられた綱との共働作用によって、落石を受けとめたときの衝撃を十分に吸収でき、支柱等が傾倒するのを防止しうるという効果を奏する。
【実施例】
【００１９】
鎖編糸となる糸として、１６７０デシテックス／１９２フィラメントのポリエステルマルチフィラメント糸（ユニチカ社製、品番「Ｓ−１３２」）を１３本合糸したものを用い、一方挿入糸となる糸として、１６７０デシテックス／１９２フィラメントのポリエステルマルチフィラメント糸（ユニチカ社製、品番「Ｓ−１３２」）を１２本合糸したものを用い、図３の編組織で、目合を７５ｍｍとしたラッセル編物を製造した。一方、１６７０デシテックス／１２０フィラメントのポリエステルマルチフィラメント糸（ユニチカ社製の高強力糸、品番「Ｓ−７２３」）を４本撚り合わせ、撚数３０回／３０ｃｍの下撚糸を作成し、下撚糸を３本撚り合わせ、撚数２８回／３０ｃｍの上撚糸を作成し、最後に上撚糸を１２本撚り合わせて、撚数７．５回／３０ｃｍのストランドを得た。上撚糸はＳ撚り及びＺ撚りとして、Ｓ撚りのストランドＳとＺ撚りのストランドＺを得た。Ｓ撚りのストランドＳ２本を一組とし二組準備し、Ｚ撚りのストランドＺ２本を一組とし二組準備し、ストランドＳはＳ巻きにストランドＺはＺ巻きにして、図５に示したように編組して綱を得た。なお、巻き数は、いずれも１回／インチとした。この綱の伸度は２０．５％で引張強力は５６ｋＮであった。横５ｍで縦３．２ｍのラッセル編物の上下左右辺において、ラッセル編物の目合を通して綱を取り付けた。以上のようにして落石防護ネットを得た。
【００２０】
この落石防護ネットを支柱間に張設し、５７０ｋｇの錘を高さ１８．５ｍから落としたとき、この衝撃を十分に吸収できた。落石防護ネットに錘が衝突したときのエネルギーは約１００ｋＪであるから、実施例の落石防護ネットは、１００ｋＪの衝突エネルギーを吸収しうる能力を持つものと認められる。
【図面の簡単な説明】
【００２１】
【図１】落石防護柵の模式的斜視図である。
【図２】本発明の一例に係る落石防護ネットの平面図である。
【図３】本発明に用いるラッセル編物の編組織図である。
【図４】一般的なクロスロープの側面図である。
【図５】本発明に用いる綱の側面図である。
【図６】本発明の一例に係る落石防護ネットに落石が生じたときの変形状態を模式的に示した側面図である。
【符号の説明】
【００２２】
１      支柱
２      落石防護ネット
３      ワイヤーロープ
４      経編物
５      綱
６ａ，６ｂ，６ｃ，６ｄ      鎖編糸
７ａ1 ，７ａ2 ，７ｂ1 ，７ｂ2 ，７ｃ1 ，７ｃ2 ，７ｄ1 ，７ｄ2       挿入糸
８ａ，８ｂ，８ｃ，８ｄ，８ｅ，８ｆ，８ｇ，８ｈ      ストランド
１０      Ｓ撚りのストランドをＳ巻きしたときに内在するトルクの方向
１１      Ｚ撚りのストランドをＺ巻きしたときに内在するトルクの方向
【図１】
2015229863.tif 000003
【図２】
2015229863.tif 000004
【図３】
2015229863.tif 000005
【図４】
2015229863.tif 000006
【図５】
2015229863.tif 000007
【図６】
2015229863.tif 000008